(57)【要約】【課題】特許文献の技術内容を特徴づけるキーワードと一対に関連づけられた特許番号等の特許情報を、特定の目的で当該特許情報の分類用として用意した技術キーワードにもとづき分類、分析する際に多くの作業時間を必要とした。すなわちＮ次元マトリックスのいわゆる特許マップを作成する場合に各軸に例えば１０個の異なるキーワードがあるとすれば、１０のＮ乗回の分類、分析作業が必要となり、膨大な作業時間を要することになる。【解決手段】Ｎ個の各軸の特許情報と当該各軸ごとの特許情報とそれぞれ照合して当該特許情報が合致した場合に限り、当該特許情報と一対に関連づけられた特許番号等を前記の対応する特許情報収納部に収納する処理を一度に行うことができる。【選択図】    図１
2004152243.tif 000002
【特許請求の範囲】
【請求項１】
Ｎ個の各軸に配列された複数の特許情報の並び列を有するＮ次元のマトリックスにおいて、Ｎ個の各軸のそれぞれの特許情報の並び列ごとにある一つの特許情報をそれぞれ選んだ時に、Ｎ個分の当該ある一つの特許情報の全てに一義的に対応する特許情報収納部に、当該選んだＮ個分の当該ある一つの特許情報の全てに対し、分類、分析の対象となる特許情報及び当該特許情報と一対に関連づけられた特許番号等の特許情報をＮ個の各軸ごとにそれぞれ照合して当該特許情報同士が合致した場合に限り、前記特許情報と一対に関連づけられた特許番号等を前記の対応する特許情報収納部に収納するデータ処理を行い、かつＮ次元のマトリックスにおいて各軸の特許情報の交点として形成される全て特許情報収納部に対して同様の収納処理を一度に行うことを特徴とする特許情報の分類、分析及び表示処理システム。
【請求項２】
請求項１に記載の特許情報の分類、分析及び表示処理システムにおいて、前記の各軸に配列された複数の特許情報が技術内容を特徴付けるキーワード、記号、コンセプトなどまたは特許明細書を構成するセンテンスから抽出された主語（Ｓ）、作用（Ａ）、目的語（Ｏ）及びそれらの組合せ（例えばＡ−Ｏなど）などであることを特徴とする特許情報の分類、分析及び表示処理システム。
【請求項３】
請求項１に記載の特許情報の分類、分析及び表示処理システムにおいて、前記の各軸に配列された複数の特許情報が特許明細書を構成するセンテンスから抽出された主語（Ｓ）、作用（Ａ）、目的語（Ｏ）及びそれらの組合せ（例えばＡ−Ｏなど）などであることを特徴とする処理システム。
【請求項４】
請求項１に記載の特許情報の分類、分析及び表示処理システムにおいて、前記の各軸に配列された複数の特許情報が技術内容を特徴付けるキーワード、記号、コンセプトなどであることを特徴とする特許情報の分類、分析及び表示処理システム。
【請求項５】
請求項１に記載の特許情報収納部に収容された複数の特許番号等において、当該の特許番号等で特定される特許の相互間の引用または被引用の関係を、当該収納された特許番号等と引用関係に関する他の特許情報とリンクさせるとともに、前記の特許情報収納部に収納された複数の特許番号のある序列情報と前記リンク情報をデータ処理し、当該特許情報収納部に含まれる複数の特許番号等の相互の引用または被引用関係の表示処理を行うことできることを特徴とする特許情報の分類、分析及び表示処理システム。
【請求項６】
請求項５に記載の特許情報収納部において、特許情報収納部が任意に複数選択できることを特徴とする特許情報の分類、分析及び表示処理システム。
【発明の詳細な説明】
【０００１】
【発明の属する技術分野】
本発明は、特許情報検索において得られた特許情報をある目的で分類及び分析し、その結果を評価するシステムに関し、データ処理装置を使った分類、分析の処理及び結果の表示処理に関するものである。
【０００２】
【従来の技術】
従来、特許情報をある目的で分類及び分析し、その結果を評価する作業（いわゆる特許マップの作成作業と呼んでいる）において、ある程度の分類及び分析の処理に関しては、公表特許公報２００２−５２４７９９に記載されている。当該公報に記載された処理方法は、特許明細書を構成するセンテンスから抽出された主語−作用−目的語（ＳＡＯ）構造と当該の特許の特許番号等とが一対に関連付けされた特許情報と、さらに前記ＳＡＯ構造をベースに導出される主語（Ｓ）、作用（Ａ）、目的語（Ｏ）及びそれらの組合せ（例えばＡ−Ｏなど）の特許情報を内部で生成し、例えば特定の主語（Ｓ）と特定の目的語（Ｏ）との関連付けを前提として、特許番号等の特許情報をシステム側にリクエストした場合に、複数の一対に関連付けされた特許番号等の特許情報をリクエスト側に提示するものである。
【０００３】
【発明が解決しようとする課題】
しかし、この従来技術には、次のような問題点があった。すなわちある特定の目的で収集された複数の特許から意味解析により導出された前記ＳＡＯ構造において、前記の処理結果を提示するが、Ｎ次元のマトリックス型のいわゆる特許マップの作成作業をする場合に、Ｎ個の各軸の項目にそれぞれ対応する特許情報収納部へ前記の複数の一対に関連付けされた特許番号等の特許情報を収納させるためには、Ｎ個の各軸の項目数が全て１０個と仮定すると、１０のＮ乗回のリクエスト行為が画面操作上で必要となり、さらに表計算アプリケーション等に集められたそれらの特許情報を長時間を掛けて編集する作業が必要となる。
【０００４】
さらに本発明の効果の一つである特許情報収納部に収容された複数の特許番号等間における引用または被引用の関係が、引用または被引用の蓋然性が高い特許番号等の存在を事前に予知できていない状態においても、効率的に技術的内容の引用または被引用関係が図表等で表示する機能がないため、分類および分析された特許情報の有効な評価または活用ができなかった。
【０００５】
本発明は、特許情報検索において得られた特許情報をある目的で分類及び分析し、その結果を評価するシステムにおいて、以上のような問題点を解決し、当該の目的に対して効果的に分類及び分析を行い、さらに効率的に当該結果を評価できるような表示処理を提供するものである。
【０００６】
【課題を解決するための手段】
上記目的を達成する本発明の特許情報の分類、分析及び表示処理システムは、特許の技術内容を特徴付けるキーワード、記号、コンセプトなどまたは前記ＳＡＯ構造などで代表される類のものと特許番号等とを一対に関連付けた特許情報及び当該特許情報から導出される主語（Ｓ）、作用（Ａ）、目的語（Ｏ）及びそれらの組合せ（例えばＡ−Ｏなど）または別途に考案したキーワード、記号、コンセプトなどのいずれかの種類または二つ以上の種類にカテゴライズされる複数のキーワード、記号、コンセプトなどを含む特許情報を利用して、同一または近似したキーワード、記号、コンセプトなど、主語（Ｓ）、作用（Ａ）、目的語（Ｏ）及びそれらの組合せ（例えばＡ−Ｏなど）の特許情報とそれぞれ関連する複数の特許番号等を、必要に応じて用意された複数の特許情報収納部に、当該特許情報から導出される主語（Ｓ）、作用（Ａ）、目的語（Ｏ）及びそれらの組合せ（例えばＡ−Ｏなど）または別途に考案したキーワード、記号、コンセプトなどのいずれかの種類または二つ以上の種類にカテゴライズされる複数のキーワード、記号、コンセプトなどと関連付けて、データ処理装置等により素早く収容する処理を行う。
【０００７】
また一つまたは複数の特許情報収納部に収容された複数の特許番号等間における引用または被引用の関係が、引用または被引用の蓋然性が高い特許番号等の存在を事前に予知できていない状態においても、効率的に技術的内容の引用または被引用関係が図表等で素早く表示することができるので、前記の目的に添った分類、分析および評価を人手を多く必要とせず短時間で可能となる。
【０００８】
【発明の実施の形態】
以下、本発明の特許情報の分類、分析及び表示処理システムの実施例を説明する。
【０００９】
【実施例１】
図１を参照すると、本実施例はキーボードやテキストファイル等の入力装置１とプログラム制御により動作するデータ処理装置２と、情報を記憶する記憶装置３とディスプレイ等の表示装置４とを含む。
【００１０】
データ処理装置２は主語−作用−目的語変換手段２１と特許識別コード変換手段２２と特許書誌情報変換手段２３とを備えている。  主語−作用−目的語変換手段２１は特許明細書を構成するセンテンスから抽出された主語−作用−目的語（ＳＡＯ）を分割して、コード変換したものと当該特許明細書の特許番号等と相互の関連付けをし記憶装置３に記憶する。  特許識別コード変換手段２２は当該の特許の識別コードを、主語−作用−目的語変換手段２１と関連付けをし記憶装置３に記憶する。  特許書誌情報変換手段２３は、特許識別コード変換手段２２で得られた特許識別コードを元に特許明細全文データベース３３に格納された当該特許の全文明細書から書誌情報を取得し、記憶装置３に記憶する。
【００１１】
記憶装置３は、主語−作用−目的語記憶部３１と、特許書誌情報記憶部３２と特許明細全文データベース３３とを備えている。  主語−作用−目的語記憶部３１は特許明細書を構成するセンテンスから抽出された主語−作用−目的語（ＳＡＯ）構造と当該の特許の識別コード（例えば特許番号、以後特許番号等と呼ぶ）とが一対に関連付けされた特許情報を記憶する。  特許書誌情報記憶部３２は主語−作用−目的語記憶部３１に記憶されている特許番号等をもとに特許明細全文データベース３３から抽出された「出願日」「発明の名称」「出願人」「発明者」「引用文献」などの書誌情報を記憶する。
【００１２】
表示装置４は組合せ関連表示部４１と特許引用関連表示部４２を備えている。組合せ関連表示部４１は特許明細書を構成するセンテンスから抽出された主語−作用−目的語（ＳＡＯ）の中から任意の組合せを選び、さらにそれぞれを表示する軸（縦軸、横軸）を設定して後それぞれの組合せを含む特許を集計し特許情報収納部に件数を収納し表示する。  特許引用関連表示部４２は特定された特許を引用している特許、または前記組合せ関連表示部４１で表示されている複数の特許番号等を特許の技術内容を特徴付けるキーワード、記号、コンセプトなどまたは前記ＳＡＯ構造などで代表される類のものと特許番号等とを一対に関連付けた特許情報及び当該特許情報から導出される主語（Ｓ）、作用（Ａ）、目的語（Ｏ）及びそれらの組合せ（例えばＡ−Ｏなど）または別途に考案したキーワード、記号、コンセプトなどのいずれかの種類または二つ以上の種類にカテゴライズされる複数のキーワード、記号、コンセプトなどと関係付けられたものを処理対象の特許情報として、またはそれらに関係なく、相互間での引用または被引用関係を表示する。
【００１３】
次に、図１及び図２を参照して本実施例の動作について詳細に説明する。
入力装置１から与えられたテキストデータは主語−作用−目的語変換手段２１によって特許明細書を構成するセンテンスから抽出された主語−作用−目的語（ＳＡＯ）を分離する。  特許識別コード変換手段２２で当該主語−作用−目的語が一対に関連付けられた特許番号等を取得し、これらの特許番号等毎に主語−作用−目的語を記憶装置３に記憶する。（図２ステップＡ１およびＡ４）
【００１４】
さらに特許書誌情報変換手段２３で前記取得した特許番号等をもとに特許明細全文データベース３３を検索し書誌情報を取得し記憶装置３に記憶する。（図２ステップＡ５およびＡ７）  横軸に主語−作用−目的語のうちいづれかを指定し、また縦軸に主語−作用−目的語を指定する。さらに横軸・縦軸それぞれに表示する件数を指定する。（図２ステップＢ２および）
前記表示条件に従って縦軸・横軸で指定されている語句の組合せが含まれる特許件数を集計し、組合せ関連表示部４１の特許情報収納部にマトリックス状に特許件数を表示する。（図２ステップＢ２およびＢ１１）
【００１５】
また、前記組合せ関連表示部４１で表示されている特許情報収納部を一つまたは複数にまたがり範囲選択することにより当該一つまたは複数の特許情報収納部に収納された複数の特許番号等の相互間での引用または被引用関係を図または表により表示することができる。
【００１６】
次に、具体例を用いて本実施例の動作を説明する。
図１の入力装置１から与えられたテキストデータは主語−作用−目的語変換手段２１によって特許明細書を構成するセンテンスから抽出された主語−作用−目的語（ＳＡＯ）を分離し、特定の意味を持つＮ個のグループに分ける。（例ａｃｔｉｖｅ  ｌａｙｅｒはｌａｙｅｒのグループ、ｄｅｖｉｃｅ  ｓｔｒｕｃｔｕｒｅはｄｅｖｉｃｅのグループ）
【００１７】
特許識別コード変換手段２２で主語−作用−目的語が一対に関連付けされた特許番号等を取得しこれらの特許番号等毎に主語−作用−目的語とそれぞれに割り当てられたグループ情報を記憶装置３に記憶する。（図２ステップＡ１およびＡ４）
さらに特許書誌情報変換手段２３で前記取得した特許番号等をもとに特許明細全文データベース３３を検索し、「出願日」「発明の名称」「出願人」「発明者」「引用文献」など書誌情報を取得し記憶装置３に記憶する。（図２ステップＡ５およびＡ７）
マトリックス状に配置された特許情報収納部に特許件数表示するのに先立ち図４に示すようにマトリックスの各軸の項目名を設定する。（図３ステップＢ１）設定された各軸の項目名によって、まず縦軸の項目に含まれるグループ名を縦軸に配置する。（図３ステップＢ２およびＢ５）
【００１８】
続いて横軸の項目に含まれるグループ名を横軸に配置すると同時に当該横軸グループと、すでに縦軸に配置されているすべてのグループに対してそれぞれ関連している特許件数を集計し、集計結果を特許情報収納部に収納する。この処理を横軸に配置するグループの数だけ繰り返し、図５に示すような図を表示する。（図４ステップＢ６およびＢ１１）
【００１９】
また、マトリクス状に表示されている特許情報収納部を一つないし複数選択することにより、図６に示すように、当該特許情報収納部に収納された複数の特許番号等を取得し、これらの特許番号等の新しいものから、当該特許の書誌情報に含まれる引用文献を検索し、当該検索結果が当該特許情報収納部に収納された複数の特許番号等に該当している場合は相互間での引用関係を図または表に表示する。（図３ステップＣ１およびＣ１０）
【００２０】
【実施例２】
次に、本発明の他の実施例について図面を参照して詳細に説明する。
特許情報収納部に収納された複数の特許番号等の相互間での引用または被引用関係を図または表によって表示することができることは既述したが、他の実施例としては図７に示すように、引用されている件数を多い順に特許番号等を一覧表示し、その中から注目する特許を選び当該特許を指定することにより、当該特許を引用している特許すべての関連を図によって表すことができる。この場合、図１の特許書誌情報記憶部２２に記憶されていない特許も表示対象に含まれる。
【００２１】
【発明の効果】
以上の説明から明らかのように、本発明の第一の効果は、特定の目的で収集された技術特徴的な名詞句または動詞句を当該目的に対して特定の意味を持つＮ個のグループ（例えば、技術課題、解決手段、技術的効果、技術用途など）に分け、当該Ｎ個の次元をもつマトリックスの各軸の項目名に、前記の技術特徴的な名詞句または動詞句を配置させることにより、本発明が処理の対象としている複数の特許のそれぞれに含まれる複数の技術特徴的な名詞句または動詞句、およびこれらと一対に関連付けられた特許番号等の特許情報を利用することにより、前記のＮ個の次元を持つマトリックスの各軸の項目にそれぞれ対応する特許情報収納部であって、当該のＮ個の次元を持つマトリックスの全領域にある複数の特許情報収納部に、各軸の項目名に関連付けられた特許情報（特許番号等など）を瞬時に収納することができる。この結果、従来の多大に人手が要する作業に比べ、当該目的に於ける分類及び分析作業のスピードアップが可能となることである。
【００２２】
本発明の第二の効果は、前記の特許情報収納部に収納された複数の特許番号等の相互間での技術的内容の引用または被引用関係が、引用または被引用の蓋然性が高い特許番号等の存在を事前に予知できていない状態においても、効率的に技術的内容の引用または被引用関係が図表等で瞬時に表示できるため、多大な人手を必要とせず前記の目的に適った分類、分析及び評価が可能となることである。
【図面の簡単な説明】
【図１】本発明による特許情報の分類、分析及び表示処理システムの一実施例であるシステム構成図である。
【図２】本発明による特許情報の分類、分析及び表示処理システムの一実施例であるデータ処理装置のフローチャートである。
【図３】本発明による特許情報の分類、分析及び表示処理システムの一実施例である表示装置のフローチャートである。
【図４】本発明による特許情報の分類、分析及び表示処理システムの一実施例である表示装置に関わる表示パラメータを設定する画面表示である。
【図５】本発明による特許情報の分類、分析及び表示処理システムの一実施例である表示装置に関わる表示処理結果画面（いわゆる特許マトリックスマップ）の一つである。
【図６】本発明による特許情報の分類、分析及び表示処理システムの一実施例である表示装置に関わる表示処理結果画面（特許間の引用、被引用相関図）の一つである。
【図７】本発明による特許情報の分類、分析及び表示処理システムの一実施例である表示装置に関わる表示処理結果画面（特許間の引用、被引用相関図）の一つである。
【符号の説明】
１・・・入力装置
２・・・データ処理装置
３・・・記憶装置
４・・・表示装置
２１・・・主語−作用−目的語変換手段
２２・・・特許識別コード変換手段
２３・・・特許書誌情報変換手段
３１・・・主語−作用−目的語記憶部
３２・・・特許書誌情報記憶部
３３・・・特許明細全文データベース
４１・・・組合せ関連表示部
４２・・・特許引用関連表示部
Ａ１〜７・・・データ処理装置２のフローチャートの各ステップ
Ｂ１〜１２、Ｃ１〜１０・・・表示装置４のフローチャートの各ステップ
【図１】
2004152243.tif 000003
【図２】
2004152243.tif 000004
【図３】
2004152243.tif 000005
【図４】
2004152243.tif 000006
【図５】
2004152243.tif 000007
【図６】
2004152243.tif 000008
【図７】
2004152243.tif 000009